(57)【要約】      （修正有）【課題】生体測定をすることのモチベーションを上げることができる懸賞付き生体測定システムの提供。【解決手段】生体測定装置と、前記生体測定装置で測定した被測定者の測定結果を取得する取得手段と、前記測定結果に基づいて懸賞のくじ番号を生成する生成手段とを備える懸賞付き生体測定システム。【効果】応募資格の設定により健康増進や測定忘れの防止を達成することが可能となる。【選択図】  図１
2004258792.tif 000002
【特許請求の範囲】
【請求項１】
生体測定装置と、前記生体測定装置で測定した被測定者の測定結果を取得する取得手段と、前記測定結果に基づいて懸賞のくじ番号を生成する生成手段とを備えることを特徴とする懸賞付き生体測定システム。
【請求項２】
前記生体測定装置は、歩数計、体脂肪計、体重計、血圧計、体組成計の少なくとも一つを含む請求項１に記載の懸賞付き生体測定システム。
【請求項３】
前記懸賞の賞品は、物品、ゲームで使用できるポイントの少なくとも一つを含む請求項１または２に記載の懸賞付き生体測定システム。
【請求項４】
さらに前記懸賞の応募資格を審査する応募資格審査手段を備える請求項１乃至請求項３のいずれか一つに記載の懸賞付き生体測定システム。
【発明の詳細な説明】
【０００１】
【発明の属する技術分野】
本発明は、懸賞付き生体測定システムに関し、特に、懸賞のくじ番号を生体測定装置の測定結果に基づいて生成する懸賞付き生体測定システムに関する。
【０００２】
【従来の技術】
従来から測定をすることの動機付けのため、いろいろな工夫がされている。例えば、歩くことは健康に良いとされている。この動機付けのために、オムロン株式会社から発売されている歩数計Ｗａｌｋｉｎｇ  Ｓｔｙｌｅには、歩数計から毎日の歩数をＰＣに取り込み、それをサーバーに送り、１日の平均歩数、合計歩数のランキング付けを行うランキング付け機能がある（例えば、非特許文献１参照。）。
【０００３】
また、キャラクターが歩数を糧として成長する育成ゲーム機能付きの歩数計（例えば、非特許文献２参照。）、歩数に基づいて計算した徒歩距離を使って、被験者が選んだ目的地を目指して旅をする旅ゲーム機能付きの歩数計（例えば、非特許文献３参照。）等がある。
【０００４】
【非特許文献１】
オムロン株式会社、“オムロン  歩数計「ウォーキングスタイルＷａｌｋｉｎｇ  ｓｔｙｌｅ  −  ビーアイＢＩ」”、［ｏｎｌｉｎｅ］、２００２年４月１７日、プレスリリース、［２００３年２月１７日検索］、インターネット  ＜ＵＲＬ  ：  ｈｔｔｐ：／／ｗｗｗ．ｏｍｒｏｎ．ｃｏ．ｊｐ／ｐｒｅｓｓ／ｈ０４１８．ｈｔｍｌ  ＞
【非特許文献２】
“ダイエットナビ”、［ｏｎｌｉｎｅ］、［２００３年２月１７日検索］、インターネット  ＜ＵＲＬ  ：  ｈｔｔｐ：／／ｗｗｗ．ｒａｋｕｔｅｎ．ｃｏ．ｊｐ／ａｔ−ｐｌａｚａ／４４７８０３／４４８１９５／  ＞
【非特許文献３】
“２８２−１５２２  徒歩旅行  シルクロード編”、［ｏｎｌｉｎｅ］、［２００３年２月１７日検索］、インターネット＜ＵＲＬ：  ｈｔｔｐ：／／ｗｗｗ．ｈｓ−ｍｕｋｕ．ｎｅｔ／ｇｏｏｄｓ／ｋｉｋｉ／ｔｏｐ−ｋｉｋｉ．ｆｉｌｅｓ／２８２−１５２２．ｈｔｍ  ＞
【０００５】
【発明が解決しようとする課題】
歩数が多い程、ランキング付け機能では、順位が良くなり、育成ゲーム機能の場合は、成長度が上がり、旅ゲーム機能では、より目的地に早く着けることになる。このため、歩数を多くするために、歩行以外の方法で歩数計を振動させることにより歩数を増やすという本来健康になることが目的だったはずが、歩数を増やすことが目的という本末転倒のケースが多く発生している。
【０００６】
本発明の目的は、上述したような従来技術の問題点を解消し、生体測定装置の本来の目的を遂げることの出来るくじ番号生成装置を提供することである。
【０００７】
【課題を解決するための手段】
本発明の一つの観点によれば、生体測定装置と、前記生体測定装置で測定した被測定者の測定結果を取得する取得手段と、前記測定結果に基づいて懸賞のくじ番号を生成する生成手段とを備えることを特徴とする懸賞付き生体測定システムが提供される。
【０００８】
本発明の一つの実施の形態によれば、前記生体測定装置は、歩数計、体脂肪計、体重計、血圧計、体組成計の少なくとも一つを含む。
【０００９】
本発明の別の実施の形態によれば、前記懸賞の賞品は、物品、ゲームで使用できるポイントの少なくとも一つを含む。
【００１０】
本発明のさらに別の実施の形態によれば、さらに前記懸賞の応募資格を審査する応募資格審査手段を備える。
【００１１】
【発明の実施の形態】
以下、本発明の実施の形態について図面を用いて説明する。図１は、本発明の懸賞付き生体測定システムの構成を示す図である。このシステムは、歩数計・体脂肪計・血圧計等の生体測定装置１と、ＵＳＢケーブルを介して生体測定装置１と接続された情報端末２と、くじ番号生成装置３から構成される。くじ番号生成装置３は、インターネットを介して情報端末２と接続されたＷｅｂサーバー機能を有する。生体測定装置の測定結果は、ＵＳＢケーブルを通して情報端末２に取り込まれる。取り込まれた測定結果は、情報端末２内のプログラムによりくじ番号生成装置３に送信される。くじ番号生成装置３からの当選等の通知が情報端末２に送信される。
【００１２】
情報端末２は、生体測定装置１の測定結果を受信する受信機能と、インターネットを介して測定結果をＷｅｂサーバーに送信する送信機能とを最低限有するものであれば良い。情報端末２は、インターネットに接続可能なＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ）、携帯電話等でよい。
【００１３】
図２は、くじ番号生成装置３の機能構成を示すブロック図である。図２に示すようにくじ番号生成装置３は、情報端末２からの測定結果を受信する通信部１１と、測定結果からくじ番号を生成する制御部１２と、表示部１３と、測定結果・くじ番号等を記憶する記憶装置１４とから構成される。
【００１４】
制御部１２は、情報端末２から送信された生体測定結果を受信し、記憶装置１４に記憶する生体測定結果取得部１２ａと、懸賞の応募資格を審査する応募資格審査部１２ｂと、測定結果からくじ番号を生成するくじ番号生成部１２ｃとから構成されている。
【００１５】
次に、本発明の懸賞付き生体測定システムの動作を図３のフローチャートを用いて説明する。ステップＳ１１において、被測定者は、生体測定装置１を用いて生体測定を行う。ステップＳ１２において、生体測定装置１は測定結果を情報端末２に送信する。ステップＳ２１において、生体測定装置１と情報端末２をＵＳＢ接続等で接続し、情報端末２は測定結果を受信する。ステップＳ２２において、測定結果をくじ番号生成装置３に送信する。ステップＳ３１において、くじ番号生成装置３の生体測定結果取得部１２ａは測定結果を受信する。ステップＳ３２において、過去の応募資格の審査においての失格の判定を受けた場合にＯＮがセットされる失格フラグがＯＮかを判断する。失格フラグがＯＮの場合には、処理を終了する。
【００１６】
ステップＳ３３において、くじ番号生成装置３の応募資格審査部１２ｂは以下で具体的に説明する応募資格の審査を行う。測定結果が応募資格を満足しない場合は、ステップＳ３５で失格フラグをＯＮにし、ステップＳ３６で失格の通知を情報端末２にＥメール等で送信し、処理を終了する。ステップＳ３７において、測定結果を被測定者の記憶エリアに記憶し、処理を終了する。
【００１７】
次に、くじ番号生成装置が毎月１回行う当選発表の処理を説明する。ステップＳ４１において、日付が１日かを判断する。１日で無い場合は、処理を終了する。ステップＳ４２において、くじ番号生成部１２ｃは以下で説明する方法でくじ番号を生成する。ステップＳ４３において、くじ番号が予め決定してある当選番号と一致するかを判断する。当選しなかった場合は、処理を終了する。ステップＳ４４において、当選の通知をＥメール等で情報端末に送信する。
【００１８】
次に、生体測定装置が歩数計の場合の応募資格とくじ番号の生成方法を説明する。歩数計の場合の応募資格は、送信されてきた歩数が１日あたりの規定歩数を超えているかである。規定歩数は、健康増進を達成するための最低限の歩数であり、年齢・性別・生活スタイル等の個人情報に基づいて決定される。このように応募資格を規定することにより、健康増進のための最低限の歩数を歩かせることが可能となる。
【００１９】
歩数計の場合のくじ番号の生成方法を説明する。一日１万歩歩いたとし、１月を３０日とすると、１月の合計歩数は３０万歩となる。ここでは、合計歩数の桁数を知るために、１日の歩数を１万歩と仮定している。図５に示すようにこの合計歩数の下４桁をくじ番号とする。応募者の人数に対しては、この桁数の増減により対応する。このようにしてくじ番号を決定するので、歩数を増やすだけの歩数競争の抑止が可能となる。
【００２０】
次に、生体測定装置が体脂肪計の場合の応募資格とくじ番号の生成方法を説明する。体脂肪計の場合の応募資格は、毎日、予め被測定者が定めた測定時間内に測定結果をくじ番号生成装置に送信してくることである。このような応募資格の設定により、測定忘れの防止が可能となる。上記応募資格は一例である。健康増進のための条件であれば、何を決めてもよい。体脂肪計の場合のくじ番号の生成方法を説明する。最終時の体重の測定値をその日の測定値として、採用し、５０．０ｋｇとし、１月を３０日とすると、１月の合計体重値は１，５００ｋｇとなる。ここでは、合計体重値の桁数を知るために、１日の体重を５０．０ｋｇと仮定している。また、体脂肪率を１０．０％と仮定すると、１月の合計体脂肪率は３００となる。図６に示すように、両者の下２桁から生成した４桁の数字をくじ番号とする。
【００２１】
次に、生体測定装置が血圧計の場合の応募資格とくじ番号の生成方法を説明する。血圧計の場合の応募資格は、毎日、測定結果をくじ番号生成装置に送信してくることである。血圧計の場合のくじ番号の生成方法を説明する。最高血圧を１２０ｍｍＨｇ、最低血圧を８０ｍｍＨｇと仮定し、１月を３０日とすると、１月の合計最高血圧値は３，６００ｍｍＨｇ、合計最低血圧値は２，４００ｍｍＨｇとなる。図７に示すように両者の下２桁から生成した４桁の数字をくじ番号とする。
【００２２】
上記の応募資格及びくじ番号の生成方法は、例示に過ぎず、様々なものが考えられる。
【００２３】
懸賞の商品としては、物品以外にゲームで使用できるポイント等がある。例えば、１等くじを引いた場合には、１万ポイント、２等に対し２千ポイント等である。そして、このポイントはゲームをやるための料金あるいは、買い物ゲームであれば、ゲームのなかで商品を買うための料金として使える。
【００２４】
【発明の効果】
以上説明したように、本発明の懸賞付き生体測定システムは、生体測定装置と、前記生体測定装置で測定した被測定者の測定結果を取得する取得手段と、前記測定結果に基づいて懸賞のくじ番号を生成する生成手段とを備えるので、生体測定をすることのモチベーションを上げることができる。また、応募資格の設定により健康増進や測定忘れの防止を達成することが可能となる。
【図面の簡単な説明】
【図１】本発明に係る懸賞付き生体測定システムの構成図である。
【図２】くじ番号生成装置の論理構成図である。
【図３】本発明に係る懸賞付き生体測定システムの動作を示すフローチャートである。
【図４】本発明に係るくじ番号生成装置の当選発表処理を示すフローチャートである。
【図５】歩数計の場合のくじ番号の生成方法を説明する図である。
【図６】体脂肪計の場合のくじ番号の生成方法を説明する図である。
【図７】血圧計の場合のくじ番号の生成方法を説明する図である。
【符号の説明】
１  生体測定装置
２  情報端末
３  くじ番号生成装置
１１  通信部
１２  制御部
１３  表示部
１４  記憶装置
【図１】
2004258792.tif 000003
【図２】
2004258792.tif 000004
【図３】
2004258792.tif 000005
【図４】
2004258792.tif 000006
【図５】
2004258792.tif 000007
【図６】
2004258792.tif 000008
【図７】
2004258792.tif 000009